(57)【要約】      （修正有）【課題】振動子を用いたマッサージ効果を有する治療装置において、周期性を伴った効果的な強弱振動を得ること。【解決手段】本体７に載置された振動子１ａは所定の基準振動周波数で振動可能とし、他方の振動子１ｂは、振動子１ａの基準振動周波数とは異なる変動用振動周波数で振動するとともに、その振動周波数を所定の周期で変更可能としている。また、振動子１ａの基準振動周波数は、複数の周波数を設定可能としており、その設定周波数の変更に伴い、振動子１ｂの振動周波数の変更周波数や基準振動周波数との振動数の差異の最大値を変更可能とすることで、使用者の患部等に応じた適切な振動の強弱うなりを得ることができる。【選択図】図５
2019037392.tif 000002
【特許請求の範囲】
【請求項１】
本体と、前記本体に載置された複数の振動子とを備え、前記複数の振動子の中の少なくとも１つは複数の基準振動周波数で振動可能であり、他の振動子は、前記基準振動周波数との相違による干渉振動を発生させために前記基準振動周波数とは異なる変動用振動周波数で振動するとともに、前記変動用振動周波数の周波数を所定の周期で変更してなる治療用振動装置。
【請求項２】
前記基準振動周波数と、これに対する変動用振動周波数の変更周波数及び相違する振動周波数の最大値は、前記基準振動周波数に係らず略同一としてなる請求項１記載の治療用振動装置。
【請求項３】
前記変動用振動周波数は、前記基準振動周波数に応じて、その相違する振動周波数の最大値を変更してなる請求項１記載の治療用振動装置。
【請求項４】
前記変動用振動周波数は、前記基準振動周波数に応じて、その変更周波数を変更してなる請求項１記載の治療用振動装置。
【請求項５】
前記変動用振動周波数の前記基準振動周波数に対して相違する振動周波数の最大値は、基準振動周波数が大きくなるに従い大としてなる請求項３記載の治療用振動装置。
【請求項６】
前記変動用振動周波数の変更周波数は、前記基準振動周波数が大きくなるに従い長くしてなる請求項４記載の治療用振動装置。
【請求項７】
前記基準振動周波数は、５〜１００Hz の間で複数設定可能としてなる請求項１〜６のいずれか１項に記載の治療用振動装置。
【請求項８】
前記変動用振動周波数の変更周波数は、０．００５〜２Hzの範囲で変更されてなる請求項１〜７のいずれか１項に記載の治療用振動装置。
【請求項９】
前記変動用振動周波数は、前記基準振動周波数に対して相違する振動周波数が大きいほど、振動周波数の相違の変化を大きくしてなる請求項１記載の治療用振動装置。
【請求項１０】
前記変動用振動周波数は、所定の振動周波数を所定時間継続した後に次の振動周波数に変更するとともに、前記基準振動周波数に対して相違する振動周波数が大きいほど、前記所定の振動周波数で継続する所定時間を短くしてなる請求項１記載の治療用振動装置。
【発明の詳細な説明】
【技術分野】
【０００１】
本発明は、治療用振動装置に関するものであり、特に、複数の振動子を用いるとともに、その振動子間の振動周波数の相違を利用した干渉振動を人体に与える治療装置に関するものである。
【背景技術】
【０００２】
従来の治療用振動装置は、例えば、特許文献１に記載されるように、２個の作動体２０を用いてマッサージ作用を人体の患部に与えるに際して、使用者が、ダイアル２１を操作して、それぞれの作動体２０に印可する電圧を変化させることで、うなりの態様に変化を与えるものであった（図１５参照）。
【先行技術文献】
【特許文献】
【０００３】
【特許文献１】実用新案登録第3081463号
【発明の概要】
【発明が解決しようとする課題】
【０００４】
上記従来の構成では、使用者がダイアル等を操作することで、２個の作動体２０の振動状態等を変化させているため、周期性を伴ったうなりを得ることは困難であった。更に、いずれか一方の振動子の振動周波数を変えた場合に、その変更に伴い、他方の作動体２０の振動状態を自動的に追随させて、うなりの周期や大きさを変えることは更に困難であった。
【課題を解決するための手段】
【０００５】
上記課題を解決するために、本発明の治療用振動装置は、本体と、前記本体に載置された複数の振動子とを備え、本体と、前記本体に載置された複数の振動子とを備え、前記複数の振動子の中の少なくとも１つは複数の基準振動周波数で振動可能であり、他の振動子は、前記基準振動周波数との相違による干渉振動を発生させために前記基準振動周波数とは異なる変動用振動周波数で振動するとともに、前記変動用振動周波数の周波数を所定の周期で変更してなるものである。
【発明の効果】
【０００６】
上記構成により、本発明の治療用振動装置は、異なる複数の基準振動周波数、即ち、異なる大きさのマッサージ効果を得ながら、所定の周期と大きさのリズミカルなうなり効果を得ることが可能となる。
【図面の簡単な説明】
【０００７】
【図１】本発明の第１の実施形態の治療用の振動子の外観図
【図２】同実施形態を示す治療用振動子のＰＷＭ制御の状態を示した図
【図３】同実施形態を示す振動子を用いた治療装置の外観図
【図４】同実施形態を示す振動子を用いた治療装置を使用者に取付けた状態を示した図
【図５】同実施形態を示す治療装置に振動子を取付けた状態を示した図
【図６】同実施形態を示す治療用振動子の周期的な干渉制御の状態を示した図
【図７】同実施形態を示す治療用振動子の異なる周期的な干渉制御の状態を示した図
【図８】本発明の第２の実施形態の治療用振動子の周期的な干渉制御の状態を示した図
【図９】同実施形態の異なる周期的な干渉制御の状態を示した図
【図１０】同実施形態の基準振動周波数に対する変動用振動周波数の特性を示した図
【図１１】同実施形態の基準振動周波数に対する変動用振動周波数の変更周波数の特性を示した図
【図１２】本発明の第３の実施形態の治療用振動子の基準振動周波数と変動用振動周波数の変化を示した図
【図１３】同実施形態の基準振動周波数と変動用振動周波数の相違に対する位相のずれに関する特性を示した図
【図１４】同実施形態の基準振動周波数と変動用振動周波数の相違に対するステップ時間の特性を示した図
【図１５】従来の技術に関わるマッサージ機器を示す図
【発明を実施するための形態】
【０００８】
（実施形態１）
以下、本発明の治療用振動装置の第１の実施形態について、図１〜図７を用いて説明する。図１は、本実施形態にて使用する振動子１であり、モータ２の回転軸３に対して、分銅４を偏らせた状態で取付けているため、モータ２が回転すると、分銅４の重心上の不釣り合いにより振動が発生する。本実施形態では、分銅４の質量を１３ｇ、分銅の偏芯距離を４ｍｍとしている。
【０００９】
また、図２に示すように、モータ２の回転数制御には、ＰＷＭ制御を用いており、基本周期ｔaに対するモータ２のオン時間ｔ１の割合を変更することにより、モータ２の回転数を変更し、結果として、振動子１の振動周波数を変更している。
【００１０】
本実施形態では、図３または図４に示すように、振動子１を複数保持する装置５を、ベルト６を用いて使用者の患部に取付ける。具体的には、図５に示すように、装置５の本体７の２箇所に振動子１を取付けている（１a、１ｂ）。各々の振動子１は、その振動状態により、患部に対するマッサージ効果を得ることができるだけでなく、２個の振動子１ａ、１ｂを同時に振動させ、且つ、その個々の振動周波数の間に周期的な相違を設けることで、リズミカルなマッサージ効果を得るものである。
【００１１】
以下、個々の振動周波数の間に周期的な相違を設ける方法について説明する。図６は、時間の経過に対する個々の振動子１の振動周波数を示したものであり、各振動子１ａ、１ｂの振動周波数を時間の経過とともに周期的に相違させることにより、振動子間でうなりを発生させる。このうなりが振動子本来のマッサージ効果と相まって、使用者にリズミカルなマッサージ効果を与える。
本実施形態では、振動子１ａの振動周波数を一定（基準振動周波数）としておき、他方の振動子１ｂの振動周波数を、この基準振動周波数と周期的に変動する振動周波数（変動用振動周波数）としている。この振動子１ａの基準振動周波数は、本体５の操作部（図示せず）の強弱スイッチ等により変更可能であり、この基準振動周波数の変更に応じて、それに対する変動用振動周波数の変更周波数と基準振動周波数と相違する振動周波数の相違の最大値を患部等に応じて変更可能とする。本実施形態では、使用者がうなりを感知できる程度に効果的に振動させるために、基準振動周波数を５Ｈｚ以上、望ましくは、１０Ｈｚ以上としている。また、振動子によるマッサージ効果が必要以上に大きくなると、却って、人体に不快な感覚を与えるので、本実施形態では、基準振動周波数の最大値について、最大値を５０Ｈｚとしているが、分銅の編心状態や重量によっては、１００Ｈｚ程度に上げても問題が無いと思われる。
【００１２】
より詳細には、図７に示すように、本体５の操作部（図示せず）の強弱スイッチ等により、基準振動周波数を基準８から基準９に変更している。この基準８は、本実施形態では、２０〜２５Ｈｚ、基準９を２５〜３０Ｈｚの範囲内で選定している。また、本実施形態では、基準振動周波数の大きさに係らず、基準８、９の双方の場合とも、変動用振動周波数の変更周波数や、基準振動周波数との相違する振動周波数の大きさを同一としている。
この変動用振動周波数の基準振動周波数との相違する振動周波数の大きさや変更周波数は、患部に応じて、適宜変更することが望ましいが、人体の患部の中でも、比較的過敏な箇所については、うなりの大きさや変更周波数を保持したまま、マッサージの強さ（基準振動周波数の大きさ）の変更を行う事が望ましい場合もあり得る。この変動用振動周波数の基準振動周波数との相違する振動周波数の大きさや変更周波数を変えるパターンについては、次の実施形態２において説明する。
【００１３】
（実施形態２）
実施形態１に示した制御方法では、基準振動周波数の相違に係らず、変動用振動周波数の大きさや変更周波数を同じものとしているので、使用者は、操作部の強弱スイッチ等を操作して基準振動周波数を変えた場合でも、引き続き、同じリズム（変更周波数）と大きさのうなりでマッサージ効果を得ることができる。
【００１４】
しかしながら、患部によっては、マッサージの強度を上げつつ、そのうなりのリズム（変更周波数）や大きさを同時に変更したい場合がある。そのため、図８に示すように、基準振動周波数を上げて、マッサージ強度を上げた状態で、且つ、そのうなりの強さも大きくしたい場合は、変動用振動周波数の変更周波数や振動周波数の相違する大きさを変えることとなる。図８に示す基準９の変動用振動周波数と基準振動周波数の相違する振動周波数の大きさの最大値１１ａは、基準８の同最大値１１ｂと比べて約２倍近くに設定されている。
また、基準振動周波数を大きくした場合に、うなりの周期を長くしたい場合は、図９に示すように、変動用振動周波数の周期を長くすることで実現できる。図９の基準９における周期１２ａは、基準８の同周期１２ｂに比べて、１．５倍ほど長く設定している。特に、基準振動周波数が高い場合、うなりが急峻に変化すると、うなりを効果的に使用者に感じさせることが困難となる場合があり、その場合は、変動用振動周波数の変更周波数を長くすることが望ましい。
【００１５】
基準振動周波数に対する変動用振動周波数の相違の最大値については、図１０において、特性曲線１３ａに示すように、一定とする場合（１３ａ）や、１３ｂや１３ｃに示すように、対象とする患部や使用者の症状に応じて、徐々に変化させる場合がある。
【００１６】
また、本実施形態では、変動用振動周波数の変更周波数を、０．００５〜２Hzの範囲、望ましくは、０．０１〜１Hzの範囲で変更可能としている。具体的には、例えば、基準振動周波数を２０Ｈｚとし、変動用振動周波数のベースを２１Ｈｚとし、その最大値と最小値を、仮に２３Ｈｚと１９Ｈｚとした場合に、変更周波数を１Hzで設定するとすれば、その変動用振動周波数が、２３Ｈｚから１９Ｈｚとなり、更に２３Ｈｚに戻るまでの時間が１秒となる。図１１に示すように、基準振動周波数に係らず一定（１４ａ）とする場合や、これに応じて、徐々に変化させる場合（１４ｂ、１４ｃ）がある。その結果、使用者の患部等に応じた適切な振動の強弱うなりを得ることができる。
【００１７】
（実施形態３）
本実施形態では、図１２に示すように、変動用振動周波数を、ステップ状に変化させている。当該ステップ状に変化させる場合、基準振動周波数と変動用振動周波数の差が大きいときは、その両者（基準振動周波数、変動用振動周波数）の位相変化が一周する（元に戻る）までの時間が短いため（図１３の１３ａを参照）、体感上は一定の振動が続くように感じられる。一方、両者の差が小さいときは、両者の位相変化が一周するまでの時間が長いため（同１３ｂ）、体感上は振動が常に変化しているように感じられる。そのため、基準振動周波数と、変動用振動周波数の差が大きくなるに従って、各ステップの継続時間が短くなるように設定している。その結果、体感的に、振動が常に変化しているような感覚を得ることができる。
【００１８】
なお、先の説明では、実質的に、図１４に示すように、両者（基準振動周波数、変動用振動周波数）の振動周波数の相違に応じて、各ステップの継続時間を変化させたが、両者（基準振動周波数、変動変動周波数）の相違の大きさに対して、反比例的な関数に従って変更させることによっても、同様の効果を得ることができる。
【符号の説明】
【００１９】
１  振動子
２  モータ
３  回転軸
４  分銅
５  治療装置
６  ベルト
【図１】
2019037392.tif 000003
【図２】
2019037392.tif 000004
【図３】
2019037392.tif 000005
【図４】
2019037392.tif 000006
【図５】
2019037392.tif 000007
【図６】
2019037392.tif 000008
【図７】
2019037392.tif 000009
【図８】
2019037392.tif 000010
【図９】
2019037392.tif 000011
【図１０】
2019037392.tif 000012
【図１１】
2019037392.tif 000013
【図１２】
2019037392.tif 000014
【図１３】
2019037392.tif 000015
【図１４】
2019037392.tif 000016
【図１５】
2019037392.tif 000017
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
本体と、前記本体に載置された複数の振動子とを備え、前記複数の振動子の中の少なくとも１つは複数の基準振動周波数で振動可能であり、他の振動子は、前記基準振動周波数との相違による干渉振動を発生させために前記基準振動周波数とは異なる変動用振動周波数で振動するとともに、前記変動用振動周波数の周波数を所定の周期で変更してなる治療用振動装置。
【請求項２】
前記基準振動周波数と、これに対する変動用振動周波数の変更周波数及び相違する振動周波数の最大値は、前記基準振動周波数に係らず略同一としてなる請求項１記載の治療用振動装置。
【請求項３】
前記変動用振動周波数は、前記基準振動周波数に応じて、その相違する振動周波数の最大値を変更してなる請求項１記載の治療用振動装置。
【請求項４】
前記変動用振動周波数は、前記基準振動周波数に応じて、その変更周波数を変更してなる請求項１記載の治療用振動装置。
【請求項５】
前記変動用振動周波数の前記基準振動周波数に対して相違する振動周波数の最大値は、基準振動周波数が大きくなるに従い大としてなる請求項３記載の治療用振動装置。
【請求項６】
前記変動用振動周波数の変更周期は、前記基準振動周波数が大きくなるに従い長くしてなる請求項４記載の治療用振動装置。
【請求項７】
前記基準振動周波数は、５〜１００Hz の間で複数設定可能としてなる請求項１〜６のいずれか１項に記載の治療用振動装置。
【請求項８】
前記変動用振動周波数の変更周波数は、０．００５〜２Hzの範囲で変更されてなる請求項１〜７のいずれか１項に記載の治療用振動装置。
【請求項９】
前記変動用振動周波数は、前記基準振動周波数に対して相違する振動周波数が大きいほど、振動周波数の相違の変化を大きくしてなる請求項１記載の治療用振動装置。
【請求項１０】
前記変動用振動周波数は、所定の振動周波数を所定時間継続した後に次の振動周波数に変更するとともに、前記基準振動周波数に対して相違する振動周波数が大きいほど、前記所定の振動周波数で継続する所定時間を短くしてなる請求項１記載の治療用振動装置。
【手続補正２】
【補正対象書類名】明細書
【補正対象項目名】００１４
【補正方法】変更
【補正の内容】
【００１４】
しかしながら、患部によっては、マッサージの強度を上げつつ、そのうなりのリズム（変更周波数）や大きさを同時に変更したい場合がある。そのため、図８に示すように、基準振動周波数を上げて、マッサージ強度を上げた状態で、且つ、そのうなりの強さも大きくしたい場合は、変動用振動周波数の変更周波数や振動周波数の相違する大きさを変えることとなる。図８に示す基準９の変動用振動周波数と基準振動周波数の相違する振動周波数の大きさの最大値１１ａは、基準８の同最大値１１ｂと比べて約２倍近くに設定されている。
また、基準振動周波数を大きくした場合に、うなりの周期を長くしたい場合は、図９に示すように、変動用振動周波数の周期を長くすることで実現できる。図９の基準９における周期１２ａは、基準８の同周期１２ｂに比べて、１．５倍ほど長く設定している。特に、基準振動周波数が高い場合、うなりが急峻に変化すると、うなりを効果的に使用者に感じさせることが困難となる場合があり、その場合は、変動用振動周波数の変更周期を長くすることが望ましい。
【手続補正３】
【補正対象書類名】明細書
【補正対象項目名】００１７
【補正方法】変更
【補正の内容】
【００１７】
（実施形態３）
本実施形態では、図１２に示すように、変動用振動周波数を、ステップ状に変化させている。当該ステップ状に変化させる場合、基準振動周波数と変動用振動周波数の差が大きいときは、その両者（基準振動周波数、変動用振動周波数）の位相変化が一周する（元に戻る）までの時間が短いため（図１３の１５ａを参照）、体感上は一定の振動が続くように感じられる。一方、両者の差が小さいときは、両者の位相変化が一周するまでの時間が長いため（同１５ｂ）、体感上は振動が常に変化しているように感じられる。そのため、基準振動周波数と、変動用振動周波数の差が大きくなるに従って、各ステップの継続時間が短くなるように設定している。その結果、体感的に、振動が常に変化しているような感覚を得ることができる。
【手続補正４】
【補正対象書類名】図面
【補正対象項目名】図１３
【補正方法】変更
【補正の内容】
【図１３】
2019037392.tif 000018